(57)【要約】【課題】小動物が楽な姿勢でストレスなく容易にエサを食べることができると共に、容器がひっくり返されるのを防止可能な小動物用食器を提供する。【解決手段】飼育ケージ内部側に配設される上方開口状の容器１と、飼育ケージ内部側に取着されるベース部材２と、を備え、容器１とベース部材２との間に、上下スライド式着脱構造８を設けた。【選択図】図１
2019024335.tif 000002
【特許請求の範囲】
【請求項１】
飼育ケージ内部側に配設される上方開口状の容器（１）と、飼育ケージ内部側に取着されるベース部材（２）と、を備え、
上記容器（１）と上記ベース部材（２）との間に、上下スライド式着脱構造（８）を設けたことを特徴とする小動物用食器。
【請求項２】
上記容器（１）の開口部側縁（15）を側面視前方下傾状に形成し、側面視で、開口部前縁（16）の高さ寸法（ｈ）を上記開口部側縁（15）の後端側の基準高さ寸法（Ｈ）の45％以上65％以下に設定した請求項１記載の小動物用食器。
【請求項３】
上記上下スライド式着脱構造（８）は、上記容器（１）の背面側に設けたスライド雄部（18）と、上記ベース部材（２）の前面側に設けたガイド雌部（28）と、を備え、
上記ガイド雌部（28）は、下端部にストッパー部（28ｄ）を有すると共に、上端部に開放部（28ｅ）を有し、
上記ガイド雌部（28）の開放部（28ｅ）に対して、上記容器（１）のスライド雄部（18）を上方から差込み自在かつ上方へ引き抜き自在とした請求項１又は２記載の小動物用食器。
【請求項４】
上記ベース部材（２）は、飼育ケージ柵部（Ｋ）の内面側に当接する当り用の上方壁部（21）と、該上方壁部（21）から前方へ突出する段差用の中間壁部（22）と、該中間壁部（22）の前端部に連設された垂下状の下方壁部（23）と、を有し、
上記ガイド雌部（28）を、上記下方壁部（23）に設けた請求項３記載の小動物用食器。
【発明の詳細な説明】
【技術分野】
【０００１】
本発明は、小動物用食器に関する。
【背景技術】
【０００２】
従来、ウサギやフェレット等の小動物の食器は、図10に示すように、飼育ケージ柵部Ｋに引っ掛けられるフック部91を背面に有する上方開口箱型容器90から成るフック式食器や、飼育ケージの床面Ｓに載置される皿型容器から成る載置式食器が公知である（例えば、特許文献１参照）。
【先行技術文献】
【特許文献】
【０００３】
【特許文献１】登録実用新案第３０００２７８号公報
【発明の概要】
【発明が解決しようとする課題】
【０００４】
図10に示すように、小動物用の飼育ケージは、飼育ケージ柵部Ｋの下縁部を支持する樹脂製の包囲壁部Ｔｄを有している（包囲壁部Ｔｄと底壁部Ｔｅを有する樹脂製のトレイ型下受け部材Ｔを備えている）。この包囲壁部Ｔｄは、小動物用の敷材やフン等が飼育ケージ外部側へ飛散しないように、飼育ケージの床面Ｓよりも高く形成している。このような飼育ケージに対して、従来のフック型食器（フック部91を有する上方箱型容器90）を用いると、床面Ｓから高い位置にしか配設できず、小動物がエサを食べにくいといった問題があった。
また、従来の載置式食器（皿型容器）は、床面Ｓに載置するだけのため、小動物がひっくり返す虞があった。
【０００５】
そこで、本発明は、小動物が楽な姿勢でストレスなく容易にエサを食べることができると共に、容器がひっくり返されるのを防止可能な小動物用食器の提供を目的とする。
【課題を解決するための手段】
【０００６】
本発明の小動物用食器は、飼育ケージ内部側に配設される上方開口状の容器と、飼育ケージ内部側に取着されるベース部材と、を備え、上記容器と上記ベース部材との間に、上下スライド式着脱構造を設けたものである。
また、上記容器の開口部側縁を側面視前方下傾状に形成し、側面視で、開口部前縁の高さ寸法を上記開口部側縁の後端側の基準高さ寸法の45％以上65％以下に設定したものである。
【０００７】
また、上記上下スライド式着脱構造は、上記容器の背面側に設けたスライド雄部と、上記ベース部材の前面側に設けたガイド雌部と、を備え、上記ガイド雌部は、下端部にストッパー部を有すると共に、上端部に開放部を有し、上記ガイド雌部の開放部に対して、上記容器のスライド雄部を上方から差込み自在かつ上方へ引き抜き自在としたものである。
また、上記ベース部材は、飼育ケージ柵部の内面側に当接する当り用の上方壁部と、該上方壁部から前方へ突出する段差用の中間壁部と、該中間壁部の前端部に連設された垂下状の下方壁部と、を有し、上記ガイド雌部を、上記下方壁部に設けたものである。
【発明の効果】
【０００８】
本発明によれば、小動物が、楽な姿勢でストレスを感じることなく、容易にエサを食べることができる。給餌作業を容易かつ迅速に行うことができる。小動物によって容器がひっくり返されるのを防止できる。構造がシンプルで故障の虞がほとんどなく耐久性に優れる。
【図面の簡単な説明】
【０００９】
【図１】本発明の実施の一形態の使用状態を示す断面側面図である。
【図２】図１のＡ−Ａ端面図である。
【図３】容器セット状態を示す斜視図である。
【図４】容器取外し状態を示す斜視図である。
【図５】容器の一例を示す正面図である。
【図６】容器の一例を示す側面図である。
【図７】容器の一例を示す平面図である。
【図８】容器の一例を示す背面図である。
【図９】ベース部材の一例を示す図であって、（ａ）は正面図であり、（ｂ）は側面図であり、（ｃ）は背面図である。
【図１０】従来技術の使用状態を示す断面側面である。
【発明を実施するための形態】
【００１０】
以下、図示の実施形態に基づき本発明を詳説する。
本発明に係る小動物用食器は、図１に示すように、飼育ケージ内のウサギやフェレット、モルモット等の小動物（ペット）にエサを与えるためのものであって、飼育ケージ内部側に配設される上方開口状の容器１と、飼育ケージ内部側に配設されて飼育ケージ柵部Ｋに取着されるベース部材２と、ベース部材２の背面から飼育ケージ外部側へ突設された雄ネジ部29に螺着するキャップ型のナット部材３と、を備えている。
【００１１】
さらに、容器１とベース部材２の間に、上下スライド式着脱構造８を設けている。
上下スライド式着脱構造８は、図１乃至図３に示すように容器１をベース部材２に引っ掛け状に保持させた容器セット状態と、図４に示すように、容器１をベース部材２から引き抜き状に離脱させた容器取外し状態と、に切り替え自在としている。なお、図３と図４に於て、容器１の一部を二点鎖線で図示している（容器１において後述のスライド雄部18を実線で図示し、スライド雄部18以外の部位を二点鎖線で図示している）。
【００１２】
上下スライド式着脱構造８は、図１乃至図８に示すように、容器１の背面側に設けたスライド雄部18と、図１乃至図４と図９に示すようにベース部材２の前面側に設けたガイド雌部28と、を備えている。
【００１３】
図７と図８に於て、容器１は、背面側に、飼育ケージ内部側（前方側）へ凹設されると共に上下方向に沿った（上下方向に開口する）凹窪部11を有している。
そして、スライド雄部18は、容器１の凹窪部11の凹底面（前面）11ｄから後方側へ突出状に設けている。
スライド雄部18は、後方側へ突設されると共に上下方向へ沿った左右一対の突片部18ｅ，18ｅと、突片部18ｅの先端（後端）から左右外方に突設されると共に上下方向に沿った左右一対の凸条部18ａ，18ａを有している。
【００１４】
図１と図９に於て、ベース部材２は、飼育ケージ柵部Ｋに対面状に配設される当り用の上方壁部21と、上方壁部21の下端部から前方へ水平状に突出する段差用の中間壁部22と、中間壁部22の前端部（先端部）に連設された垂下状の下方壁部23と、を有している。
上方壁部21は背面に、飼育ケージ柵部Ｋの内面側に当接する鉛直面状の当り用面を有している。
【００１５】
そして、ガイド雌部28は、下方壁部23の前面側に設けられ、左右外方へ凹設されると共に上下方向に沿った左右一対の凹溝部28ａ，28ａと、下方壁部23（凹溝部28ａ）の下端部に設けられスライド雄部18の下方移動を阻止するためのストッパー部28ｄと、下方壁部23（凹溝部28ａ）の上端部に設けられスライド雄部18の凸条部18ａを凹溝部28ａに対して上下抜き差し自在とするための開放部28ｅと、を備えている。
【００１６】
また、ベース部材２は、上方壁部21の当り用面から後方側（飼育ゲージ外部側）へ突出する雄ネジ部29を有している。
雄ネジ部29は、軸心部で交差する十字状スリット部29ａを有している。十字状スリット部29ａは、左右水平状の横スリット部と、上下方向（鉛直方向）に沿った縦スリット部と、を有している。つまり、雄ネジ部29は４つ割り型に形成され、４つの雄ネジ分割片部29ｇ，29ｇ，29ｇ，29ｇを有している。
【００１７】
このように雄ネジ部29を構成することで、横スリット部を、飼育ケージ柵部Ｋの横杆に対応させ、雄ネジ部29を横杆に外嵌状（挟持状）に配設しつつ、飼育ケージ外部側へ突出させて、ナット部材３を螺着させることができ、横杆を利用してベース部材２の上下方向の位置ずれを防止して、ベース部材２を飼育ケージ柵部Ｋに取着できる。
或いは、雄ネジ部29の横スリット部を飼育ケージ柵部Ｋの横杆に対応させ、かつ、縦スリット部を飼育ケージ柵部Ｋの縦杆に対応させ、４つの雄ネジ分割片部29ｇを、横杆と縦杆との交差部に外嵌状（把持状）に配設しつつ、飼育ケージ外部側へ突出させて、ナット部材３を螺着させ、飼育ケージ柵部Ｋの交差部を利用して、ベース部材２の上下左右方向の位置ずれを防止できる。
【００１８】
次に、本発明の小動物用食器の作用（使用方法）について説明する。
図１に示すように、小動物用の飼育ケージは、飼育ケージ柵部Ｋの下縁部を支持する樹脂製の包囲壁部Ｔｄを有している（包囲壁部Ｔｄと底壁部Ｔｅを有する樹脂製のトレイ型下受け部材Ｔを備えている）。この包囲壁部Ｔｄは、小動物用の敷材やフン等が飼育ケージ外部側へ飛散しないように、飼育ケージの床面Ｓよりも高く形成している。このような飼育ケージ内部側にベース部材２を配設し、雄ネジ部29を、飼育ケージ柵部Ｋを介して飼育ケージ外部側へ突出させ、飼育ケージ外部側からナット部材３のネジ孔に雄ネジ部29を螺着し、上方壁部21の当り用面と、ナット部材３の前端面と、で飼育ケージ柵部Ｋを挟圧状に締め付けて、ベース部材２が飼育ケージ柵部Ｋに着脱自在に取着される。
【００１９】
飼育ケージ柵部Ｋにベース部材２が取着した状態で、ベース部材２のストッパー部28ｄは、包囲壁部Ｔｄの上端よりも下方位置に配設される（飼育ケージの床面Ｓに接近して配設される）。
【００２０】
そして、エサを入れた容器１のスライド雄部18を、上方からベース部材２のガイド雌部28に接近させる。
この際、ベース部材２の中間壁部22によって、飼育ケージ柵部Ｋや包囲壁部Ｔｄから下方壁部23が離間しており（接触せず隙間を形成して）、容器１をベース部材２の下方壁部23に接近させやすくなっている。
【００２１】
容器１の凹窪部11の凹底面11ｄを、下方壁部23の前面に当接させて、容器１を下方壁部23に摺接させつつ下方へ移動させれば、スライド雄部18がガイド雌部28に上方から差込まれる。
また、スライド雄部18は、容器１の凹窪部11に形成しているため、スライド雄部18がガイド雌部28に差込まれる前に、凹窪部11内の下方位置に下方壁部23の上部が配設され、凹窪部11の左右内側面が下方壁部23の左右外側面に対面状に配設されて、おおまかに左右方向が位置決め（ガイド）されることとなり、スライド雄部18をガイド雌部28に差込む作業が容易となる。
【００２２】
ガイド雌部28の凹溝部28ａ，28ａに、スライド雄部18の凸条部18ａ，18ａが上方から（開放部28ｅを介して）差込まれて、スライド雄部18が下方へスライド移動して、スライド雄部18の下端部が、ガイド雌部28のストッパー部28ｄに当接して下方への移動が阻止されて、図１に示すように容器１をベース部材２に引っ掛け状に保持させた容器セット状態（容器固定状態）となる。
なお、図１に於ては、容器１の底壁部14と飼育ケージの床面Ｓとの間に隙間ができるようにベース部材２に容器１を保持させて容器セット状態とした場合を図示しているが、スライド雄部18がストッパー部28ｄに当接するよりも先に、容器１の底壁部14が飼育ケージの床面Ｓに当接して、容器１の下方への移動が床面Ｓによって規制された（容器１を床面Ｓに載置状に配設した）容器セット状態とするも良い。
【００２３】
容器セット状態において、容器１の開口部前縁16は、包囲壁部Ｔｄの上端よりも低位置（床面Ｓに接近した位置）に配設される。小動物がエサを楽な姿勢で食べることができる。さらに、容器セット状態は、上下スライド式着脱構造８なので（スライド雄部18がガイド雌部28に差込まれるので）、前後左右の移動が規制され、小動物によって容器１がひっくり返されるのを防止できる。
【００２４】
そして、容器セット状態から、飼育者（給餌作業者）が容器１を把持して上方へ引き上げると、ガイド雌部28の上方からスライド雄部18が（開放部28ｅを介して）引き抜かれて、図４に示すように、容器１をベース部材２から引き抜き状に離脱させた容器取外し状態となる。
そして、容器１内に所定量のエサを入れた後に、容器１のスライド雄部18を、上方から、ベース部材２のガイド雌部28に接近させて差込めば、再び、ベース部材２に容器１が保持された容器セット状態となる。
給餌作業や容器清掃作業の際に、ナット部材３を回して、ベース部材２を飼育ケージ柵部Ｋから取外す必要がなく、容易かつ迅速に給餌作業や清掃作業を行うことができる。
【００２５】
さらに、図６に示すように、容器１は、開口部側縁15を側面視前方下傾状に形成している。ここで、側面視で、開口部側縁15の傾斜に一致するように後方へ延ばした後端側仮想延長線Ｅと、開口部側縁15近傍（開口部側縁15側）の鉛直面状の容器内背面13と、の交点を、開口部側縁15の後端側基準点Ｐと呼ぶ。また、容器内底面12から後端側基準点Ｐまでの高さ寸法Ｈを、開口部側縁15の後端側の基準高さ寸法Ｈと呼ぶ。
【００２６】
そして、容器１は、側面視で、容器内底面12から開口部前縁16（の上端）までの高さ寸法ｈ（以下、前縁高さ寸法ｈと呼ぶ場合もある）を、開口部側縁15の後端側の基準高さ寸法Ｈの45％以上65％以下（例えば、前縁高さ寸法ｈを25ｍｍ以上35ｍｍ以下）に設定している。下限値未満であると、小動物がエサを食べる際に容器内のエサが容器外部へこぼれ易くなると共に、容器１内にエサを十分に収容させることが困難になる。また、上限値を超えると、小動物がエサを食べる際に開口部前縁16が小動物の喉元に深く食い込んで、食べにくくなって、ストレスを感じる虞がある。例えば、図10に示す従来技術のように、開口部側縁は水平状であり、従来の前縁高さ寸法ｈ90は、従来の開口部側縁の基準高さ寸法Ｈ90の１００％（同等）であり、小動物が容器90の底部までエサを食べることが非常に困難であったが、本発明は、図１に示すように、小動物が無理のない楽な姿勢で容器１の底部までエサを食べることが可能となる。
【００２７】
さらに、図１と図６に示すように、容器１は、前壁部の上端部（開口部前縁部位）を後方側へ折り曲げ状に形成して、容器内前面17よりも後方へ膨出（突出）したカエリ部10を形成している。カエリ部（反り返り部）10によって、小動物が容器１内のエサを漁っても、（開口部前縁16が低いにも関わらず）エサが容器外部へこぼれるのを防止できる。
【００２８】
また、図７に示すように、容器１は、平面視で前部を、前方凸状の円弧状に形成している。このように円弧状にすることで、小動物が正面からに限らず斜め方向に接近してエサを食べることや、複数匹が一緒（同時）にエサを食べることが容易となる。
【００２９】
また、容器１において、スライド雄部18近傍の背壁部19を半透明又は透明の樹脂で形成している。半透明又は透明に形成することで、スライド雄部18と、ガイド雌部28の位置関係の確認が容易となり着脱作業を迅速に行うことができる。なお、本発明において半透明又は透明とは、無色透明に限らず有色透明も含み、容器１の背面側に設けたスライド雄部18の形状や、容器１の背面側に配設されたベース部材２の形状が、容器１の背壁部19を介して透視可能（視認可能）な状態を言う。
【００３０】
なお、本発明は、設計変更可能であって、雄ネジ部29に横スリット部のみを設けるも良い。雄ネジ部29にスリット部を形成せずとも良い。雄ネジ部29を飼育ケージ柵部Ｋの横杆と横杆との間に挿通してナット部材３を螺着させるも良い。ベース部材２の背面側に飼育ケージ柵部Ｋに係止可能なフック部を設けるも良い。
また、本発明は、特に、飼育ケージ内で飼育されるウサギ、フェレット、モルモット、チンチラ等の小動物用として使用するのに最適である。
【００３１】
以上のように、本発明の小動物用食器は、飼育ケージ内部側に配設される上方開口状の容器１と、飼育ケージ内部側に取着されるベース部材２と、を備え、上記容器１と上記ベース部材２との間に、上下スライド式着脱構造８を設けたので、小動物が、楽な姿勢で、ストレスを感じることなく、容易にエサを食べることができる。給餌作業を容易かつ迅速に行うことができる。小動物が容器１に接触してもひっくり返ることがなく、エサ不足を防止できると共に飼育ケージ内を清潔に保つことができる。構造がシンプルで故障の虞がほとんどない。容器１の清掃作業を容易に行うことができる。
【００３２】
また、上記容器１の開口部側縁15を側面視前方下傾状に形成し、側面視で、開口部前縁16の高さ寸法ｈを上記開口部側縁15の後端側の基準高さ寸法Ｈの45％以上65％以下に設定したので、開口部前縁16が十分に低くなって、小動物がストレスを感じることなく、エサを容易に食べることができる。容器１内のエサを隅々まで食べることができる。
【００３３】
また、上記上下スライド式着脱構造８は、上記容器１の背面側に設けたスライド雄部18と、上記ベース部材２の前面側に設けたガイド雌部28と、を備え、上記ガイド雌部28は、下端部にストッパー部28ｄを有すると共に、上端部に開放部28ｅを有し、上記ガイド雌部28の開放部28ｅに対して、上記容器１のスライド雄部18を上方から差込み自在かつ上方へ引き抜き自在としたので、給餌作業や容器１の清掃作業を容易かつ迅速に行うことができる。バネや枢着構造を必要としないシンプルな構造で、故障が発生する虞がほとんどなく、耐久性に優れる。
【００３４】
また、上記ベース部材２は、飼育ケージ柵部Ｋの内面側に当接する当り用の上方壁部21と、該上方壁部21から前方へ突出する段差用の中間壁部22と、該中間壁部22の前端部に連設された垂下状の下方壁部23と、を有し、上記ガイド雌部28を、上記下方壁部23に設けたので、スライド雄部18を差込む際に、ガイド雌部28の位置を確認しやすく容易かつ迅速に着脱できる。また、容器１を上下方向にスライドさせやすく使い勝手が良い。様々な飼育ゲージに対応でき、容器１を飼育ケージの床面Ｓに接近乃至当接させて配設できる。
【符号の説明】
【００３５】
１  容器
２  ベース部材
８  上下スライド式着脱構造
15  開口部側縁
16  開口部前縁
18  スライド雄部
21  上方壁部
22  中間壁部
23  下方壁部
28  ガイド雌部
28ｄ  ストッパー部
28ｅ  開放部
Ｈ  基準高さ寸法
ｈ  高さ寸法
【図１】
2019024335.tif 000003
【図２】
2019024335.tif 000004
【図３】
2019024335.tif 000005
【図４】
2019024335.tif 000006
【図５】
2019024335.tif 000007
【図６】
2019024335.tif 000008
【図７】
2019024335.tif 000009
【図８】
2019024335.tif 000010
【図９】
2019024335.tif 000011
【図１０】
2019024335.tif 000012